【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
錠剤類ディスペンサー装置であって、
決まった錠剤類投下場所と、決まった錠剤類投下場所を限定する末端と、を供える落下路と
決まった錠剤類投下場所にて錠剤１つを、直接、落下路の末端で直接的に受領するような構造と配置を持つピックアップ部と、
により構成され、
前記ピックアップ部は、落下路の末端にある決まった錠剤類投下場所で錠剤類と接触するよう配置されたり、されなかったりを交互にするよう動く状態にあり、さらには、前記決まった錠剤類投下場所から錠剤類を移動させるべく配置され、
前記ピックアップ部は、１つ又は複数で構成され、偏心回転式、又はその他の形式、或いはその組み合わせで回転する部分を持つことにより回転可能となっており、それは、回転する事により、決まった錠剤類投下場所で錠剤類と接触しなかったりしたりを交互に繰り返し、その後は、錠剤類を決まった錠剤類投下場所から移動させるよう配置される、
錠剤類ディスペンサー装置。
【請求項２】
請求項１に記載の錠剤類ディスペンサー装置において、さらに、以下の１つ又は両方を含む錠剤類ディスペンサー装置：
回転式ピックアップ部を配置するための軸であって、その軸は回転可能であり、その回転運動を回転式ピックアップ部に伝える；又は、
ピックアップ部に配置された噛み込み式表面であって、前記噛み込み式表面は、決まった錠剤類投下場所で錠剤類を噛み込み、そこから錠剤類を移動させるよう配置されている。
【請求項３】
錠剤類ディスペンサー装置であって、
決まった錠剤類投下場所と、決まった錠剤類投下場所を限定する末端と、を供える落下路と、
決まった錠剤類投下場所にて錠剤１つを、直接、落下路の末端で直接的に受領するような構造と配置を持つピックアップ部と、
により構成され、
前記ピックアップ部は、落下路の末端にある決まった錠剤類投下場所で錠剤類と接触するよう配置されたり、されなかったりを交互にするよう動く状態にあり、さらには、前記決まった錠剤類投下場所から錠剤類を移動させるべく配置され、
落下路の末端に位置する開口可能ゲートが決まった錠剤類投下場所を区切り、
開口可能ゲートは、作動時、錠剤類投下場所で錠剤類を保留する、
錠剤類ディスペンサー装置。
【請求項４】
請求項３に記載の錠剤類ディスペンサー装置において、
前記開口可能ゲートは、
決まった錠剤類投下場所から移動して来る錠剤類の動きに応じるため開口するピックアップ部と共に動作するように、或いは、
決まった錠剤類投下場所から移動して来る錠剤類の動きに応じるため開口するピックアップ部とは独立して動作するように
構成されている、
錠剤類ディスペンサー装置。
【請求項５】
錠剤類ディスペンサー装置であって、
決まった錠剤類投下場所と、決まった錠剤類投下場所を限定する末端と、を供える落下路と、
決まった錠剤類投下場所にて錠剤１つを、直接、落下路の末端で直接的に受領するような構造と配置を持つピックアップ部と
により構成され、
前記ピックアップ部は、落下路の末端にある決まった錠剤類投下場所で錠剤類と接触するよう配置されたり、されなかったりを交互にするよう動く状態にあり、さらには、前記決まった錠剤類投下場所から錠剤類を移動させるべく配置され、
落下路には決まった錠剤類投下場所に細孔が設けられており、前記細孔は作動上、ピックアップ部と相対的に配置されているが、その配置は、ピックアップ部がその場で動くような配置であり、その配置において、ピックアップ部は錠剤類と接触するよう配置されたり、されなかったりを交互にするよう回転し、さらには、前記決まった錠剤類投下場所から錠剤類を移動させるべく配置される、
錠剤類ディスペンサー装置。
【請求項６】
請求項１に記載の錠剤類ディスペンサー装置において、
落下路が錠剤類を錠剤類受領容器から決まった錠剤類落下場所へ移動させるよう構成されている、又は、
落下路が錠剤類を水平か下向きの方向のどれか一方、又は複数の方向へ移動させるよう構成されている、或いはそれら両方の構造を持つ、
錠剤類ディスペンサー装置。
【請求項７】
請求項１に記載の錠剤類ディスペンサー装置において、さらに、以下に掲げる項目のうちの１つ又は複数を含む錠剤類取り扱い小組立部品を含む錠剤類ディスペンサー装置：
１個又は複数の錠剤類を受領し、要求されるまで保留するための受領容器；
１個又は複数の錠剤類を受領容器から落下路へ移動させるよう構成されたコンベア。
【請求項８】
請求項７に記載の錠剤類ディスペンサー装置において、以下に掲げる項目のうちの１つ又は複数を満たす錠剤類ディスペンサー装置：
落下路と受領容器のうち片方又は両方が１個以上の錠剤類を受領容器から受け、落下路へ届けるよう構成されている；
コンベアが１個以上の錠剤類を受領容器から取り出せるよう構成されている；
コンベアが１個以上の錠剤類を落下路へ届けるよう構成されている。
【請求項９】
請求項１に記載の錠剤類ディスペンサー装置において、さらに、以下に掲げる項目のうちの１つ又は複数を含むモーター小組立部品を含む錠剤類ディスペンサー装置：
ピックアップ部を噛み込み動かすための回転式ピックアップ部モーター；
コンベアを噛み込み動かすためのコンベアモーター。
【請求項１０】
請求項９に記載の錠剤類ディスペンサー装置において、以下に掲げる項目のうちの１つ又は複数を満たす錠剤類ディスペンサー装置：
回転式ピックアップ部モーターは回転式ピックアップ部と一体化したり離れたりする；
コンベアモーターは、コンベアと一体化したり離れたりする；
回転式ピックアップ部モーターには、コンベアと一体化したり離れたりする突出部分がある；
コンベアモーターには、コンベアと一体化したり離れたりする突出部分がある；
回転式ピックアップ部には、回転式ピックアップ部と一体化したり離れたりするよう配置された１対のピンがある；
コンベアには、コンベアと一体化したり離れたりするよう配置された１対のピンがある。
【請求項１１】
請求項１に記載の錠剤類ディスペンサー装置において、前記錠剤類ディスペンサー装置はさらに、計量用小組立部品と引き渡し用小組立部品のうちの１つ又は複数を備え、
それらの片方又は両方が回転式ピックアップ部から１個以上の錠剤を受領するように構成されている、
錠剤類ディスペンサー装置。
【請求項１２】
請求項１１に記載の錠剤類ディスペンサー装置において、以下に掲げる項目のうち１つ又は複数を満たす錠剤類ディスペンサー装置：
計量用小組立部品は、回転式ピックアップ部から１個以上の錠剤類を受領するよう構成されている；
計量用小組立部品は、錠剤類引き渡し小組立部品への１個以上の正しい量の錠剤類引き渡しを確認するよう構成されている；
計量用小組立部品は、１個以上の正しい量の錠剤類引き渡しをその重量で確認するよう構成されている；
計量用小組立部品は、引き渡し小組立部品に１個以上の錠剤類を引き渡すよう構成されている；
計量用小組立部品は、ユーザーに１個以上の錠剤類を引き渡すよう構成されている；
引き渡し小組立部品は、計量用小組立部品と回転式ピックアップ部の片方又は両方から１個以上の錠剤類を受領するよう構成されている；
引き渡し小組立部品は、ユーザーに１個以上の錠剤類を引き渡すよう構成されており；
引き渡し小組立部品には、小組立部品と回転式ピックアップ部の片方又は両方から１個以上の錠剤類を受領し、ユーザーに引き渡すよう構成された１個又は複数の引き渡し容器が備わる。
【請求項１３】
請求項１に記載の錠剤類ディスペンサー装置において、さらに、以下に掲げる項目のうち１つ又は複数を備える錠剤類ディスペンサー装置：
ハウジングと
枠組み小組立部品であって、
ハウジングには、錠剤類受入れ用開口部と錠剤類引き渡し用開口部のうちどちらか又は両方が備わっており、
枠組みには、基盤プレート、１個又は複数の横棒、最上部のうちの１つ又は複数が備わっている；
ハウジングと枠組みのうち片方又は両方には、１個以上の錠剤類を受領するための開口部が備わっている；
ハウジングと枠組みのうち片方又は両方には、受領容器に近づく１個以上の錠剤類の受領を容易にするよう設けられた開口部が備わっており、
ハウジングと枠組みのうち片方又は両方に備わる開口部には、それぞれ開口部を閉じるためのドアが備わっている。
【請求項１４】
請求項１に記載の錠剤類ディスペンサー装置において、さらに、枠組み小組立部品に接続し、以下に掲げるもののうち１つ又は複数を含む回転式小組立部品を含む錠剤類ディスペンサー装置：
枠組み小組立部品に接続する回転式シャフト；
回転式シャフトに接続するターンテーブル；
ポジション制御用回転式小組立部品。
【請求項１５】
請求項１４に記載の錠剤類ディスペンサー装置において、以下に掲げる項目のうち１つ又は複数を満たす錠剤類ディスペンサー装置：
ディスペンサー装置にターンテーブル１個が備わっている時には、１個以上のピックアップ部がシャフトとターンテーブルの片方又は両方に対して作動上相対的に配置されている；
ディスペンサー装置にターンテーブル１個が備わっている時には、決まった錠剤類落下場所とピックアップ部の各組み合わせのうちの１組又は複数組が作動上シャフトとターンテーブルの片方又は両方に対して相対的に配置されている；
ディスペンサー装置にターンテーブル１個が備わっている時には、落下路とピックアップ部の各組み合わせのうちの１組又は複数組が作動上シャフトとターンテーブルの片方又は両方に対して相対的に配置されている；
ディスペンサー装置にターンテーブル１個が備わっている時には、錠剤類取り扱い小組立部品とピックアップ部の各組み合わせのうちの１組又は複数が作動上シャフトとターンテーブルの片方又は両方に対して相対的に配置されている；
ディスペンサー装置にターンテーブル１個が備わっている時には、決まった錠剤類投下場所とピックアップ部の各組み合わせのうちの非関連の２組が作動上シャフトとターンテーブルの片方又は両方に対して相対的に配置されている；
ディスペンサー装置にターンテーブル１個が備わっている時には、決まった錠剤類投下場所とピックアップ部の各組み合わせのうちの非関連の４組が作動上シャフトとターンテーブルの片方又は両方に対して相対的に配置されている；
ディスペンサー装置にターンテーブル１個が備わっている時には、決まった錠剤類投下場所とピックアップ部の各組み合わせのうちの非関連の８組が作動上シャフトとターンテーブルの片方又は両方に対して相対的に配置されている；
ディスペンサー装置にターンテーブル１個が備わっている時には、決まった錠剤類投下場所とピックアップ部の各組み合わせのうちの非関連の１６組が作動上シャフトとターンテーブルの片方又は両方に対して相対的に配置されている；
ディスペンサー装置にターンテーブル１個が備わっている時には、そのターンテーブルは、回転式小組立部品の相対的位置を決める回転式ポジション制御用小組立部品によって運転可能である；
ディスペンサー装置にターンテーブル１個が備わっている時には、そのターンテーブルには、回転式小組立部品の相対的位置を決めるために、回転式小組立部品の一部であるセンサー列に対し故意的に相対的に配置された１個以上の隆起部が備わっている。
【請求項１６】
請求項１に記載の錠剤類ディスペンサー装置において、さらに、制御システム用小組立部品を含み、前記制御システム用小組立部品はピックアップ部に接続し、ピックアップ部を制御するよう配置されている、
錠剤類ディスペンサー装置。
【請求項１７】
請求項１６に記載の錠剤類ディスペンサー装置において、以下に掲げる項目のうち１つ又は複数を満たす錠剤類ディスペンサー装置：
制御システム小組立部品は、ピックアップ部の動作を制御するための１式又は複数の電気的又は電子的信号を提供する；
制御システム小組立部品は、１式又は複数の電気的又は電子的信号をピックアップ部モーターに提供するが、その信号により、ピックアップ部モーターがピックアップ部と一体化したり離れたりしながらその動作を制御する；
制御システム小組立部品は、決まった錠剤類投下場所におけるゲートの動きを制御するための１式又は複数の電気的又は電子的信号を提供する；
制御システム小組立部品は、１式又は複数の電気的又は電子的信号をゲートモーターに提供するが、その信号により、ゲートモーターがゲートと一体化したり離れたりしながらその動作を制御する；
制御システム小組立部品は、コンベアの動きを制御するための１式又は複数の電気的又は電子的信号を提供する；
制御システム小組立部品は、１式又は複数の電気的又は電子的信号をコンベアに提供するが、その信号により、コンベアモーターがコンベアと一体化したり離れたりしながらその動作を制御する；
制御システム小組立部品は、バイブレーターの動きを制御するための１式又は複数の電気的又は電子的信号を提供する；
制御システム小組立部品は、１式又は複数の電気的又は電子的信号をバイブレーターモーターに提供するが、その信号により、バイブレーターモーターがバイブレーターを作動させ、バイブレーターと一体化したり離れたりしながらその動作を制御する；
制御システム小組立部品は、回転式小組立部品の動きを制御するための１式又は複数の電気的又は電子的信号を提供する；
制御システム小組立部品は、１式又は複数の電気的又は電子的信号を回転式小組立部品に提供するが、その信号により、回転式小組立部品モーターが回転式小組立部品と一体化したり離れたりしながらその動作を制御する；
制御システム小組立部品は、計量用小組立部品の動きを制御するための１式又は複数の電気的又は電子的信号を提供する；
制御システム小組立部品は、１式又は複数の電気的又は電子的信号を計量用小組立部品に提供するが、その信号により、計量用小組立部品モーターが計量用小組立部品と一体化したり離れたりしながらその動作を制御する；
制御システム小組立部品は、錠剤類引き渡し用小組立部品の動きを制御するための１式又は複数の電気的又は電子的信号を提供する；
制御システム小組立部品は、１式又は複数の電気的又は電子的信号を錠剤類引き渡し用小組立部品に提供するが、その信号により、錠剤類引き渡し用小組立部品モーターが回転式小組立部品と一体化したり離れたりしながらその動作を制御する；
制御システム小組立部品は、錠剤類受領ドアの開閉及び引き渡しドアの開閉のいずれか又は両方を制御するための１式又は複数の電気的又は電子的信号を提供する；
制御システム小組立部品は、１式又は複数の電気的又は電子的信号を錠剤類受領ドア及び引き渡しドアのいずれか又は両方を制御するモーターに提供するが、その信号により、錠剤類受領ドアの開閉及び引き渡しドアの開閉のいずれか又は両方を制御するモーターが、錠剤類受領ドア及び引き渡しドアのいずれか又は両方と一体化したり離れたりしながらその動作を制御する。
【請求項１８】
請求項１に記載の錠剤類ディスペンサー装置において、さらに、センサー小組立部品を含み、前記センサー小組立部品は、決まった場所にある１個以上の錠剤類を感知するよう配置された最低１個のセンサーを備えている、
錠剤類ディスペンサー装置。
【請求項１９】
請求項１８に記載の錠剤類ディスペンサー装置において、以下に掲げる項目のうち１つ又は複数を満たす錠剤類ディスペンサー装置：
センサー小組立部品は、制御システム小組立部品に信号を提供し、その信号により、１個以上の錠剤類が決まった錠剤類投下場所に存在する；
センサー小組立部品は、制御システム小組立部品に信号を提供し、その信号により、１個以上の錠剤類が落下路に存在する；
センサー小組立部品は、制御システム小組立部品に信号を提供し、その信号により、ピックアップ部の動きを制御するための１式又は複数の電気的又は電子的信号が提供される；
センサー小組立部品は、制御システム小組立部品に信号を提供し、その信号により、ピックアップ部モーターがピックアップ部と一体化したり離れたりしながらその動作を制御するための１式又は複数の電気的又は電子的信号がピックアップ部に提供される。